(57)【要約】      （修正有）【課題】風の吹き付け面積が大きなコーン状サイクロンを生成する導風カバー及びそれを含むファン装置を提供する。【解決手段】ファン装置２００は、筐体２０、回転装置３０及び導風カバー１００を備える。筐体２０は、吸気部２１と、排気部２２と、吸気部と排気部との間に形成された案内空間とを有する。回転装置３０は、案内空間内に配設されて排気部２２に対応するとともに、筐体内に固定するモーターと、モーターと接続されてモーターにより軸回転される羽根とを有する。導風カバー１００は、排気部２２に配設されるとともに、内周部１１と、内周部の外側に設けられた外周部１２と、外周部と内周部との間に渦巻状に配列された複数の導風片１０とを有する。外周部と内周部との間には、受風面が形成される。導風片は、受風面の垂直軸に対して傾斜角が形成される。傾斜角は、内周部に近い一端から外周部に近い一端に向かって漸増する。【選択図】図５
0003201586.tif 000002
【実用新案登録請求の範囲】
【請求項１】
内周部、外周部及び複数の導風片を備えた導風カバーであって、
前記外周部は、前記内周部の外側に設けられ、前記内周部との間に受風面が形成され、
前記導風片は、前記内周部と前記内周部の間に渦巻状に配列されるとともに、前記受風面の垂直軸に対して傾斜角を有し、
前記傾斜角は、前記内周部に近い一端から前記外周部に近い一端に向かって漸増することを特徴とする導風カバー。
【請求項２】
前記導風片の前記内周部に近い一端の傾斜角は０度であることを特徴とする請求項１に記載の導風カバー。
【請求項３】
前記導風片の前記外周部に近い一端の傾斜角は４５度であることを特徴とする請求項１又は２に記載の導風カバー。
【請求項４】
前記内周部と前記外周部との間に配設されるとともに、前記導風片にそれぞれ接続された固定リングをさらに備えることを特徴とする請求項１〜３いずれか記載の導風カバー。
【請求項５】
前記外周部には、少なくとも１つの外部と接続する挟持部材が設けてあることを特徴とする請求項１〜４いずれか記載の導風カバー。
【請求項６】
筐体、回転装置及び導風カバーを備えたファン装置であって、
前記筐体は、吸気部と、排気部と、前記吸気部と前記排気部との間に形成された案内空間と、を有し、
前記回転装置は、前記案内空間内に前記排気部に対応して配設されてるとともに、前記筐体内に固定されるモーターと、前記モーターと接続されて前記モーターにより軸回転される羽根と、を有し、
前記導風カバーは、前記排気部に配設されるとともに、内周部と、前記内周部の外側に設けられた外周部と、前記外周部と前記内周部との間に渦巻状に配列された複数の導風片と、を有し、
前記外周部と前記内周部との間には、受風面が形成され、
前記導風片は、前記受風面の垂直軸に対して傾斜角を有し、
前記傾斜角は、前記内周部に近い一端から前記外周部に近い一端に向かって漸増することを特徴とするファン装置。
【請求項７】
前記案内空間内に配設され、通過する気流を加熱する加熱装置をさらに備えることを特徴とする請求項６に記載のファン装置。
【請求項８】
前記回転装置は、前記モーターの外周側に配設された断熱筒を有することを特徴とする請求項６または７に記載のファン装置。
【請求項９】
前記筐体は、前記モーターの後方に形成された吸気口を有することを特徴とする請求項６〜８いずれか記載のファン装置。
【請求項１０】
前記導風片の前記内周部に近い一端の傾斜角は０度であることを特徴とする請求項６〜９いずれか記載のファン装置。
【請求項１１】
前記導風片の前記外周部に近い一端の傾斜角は４５度であることを特徴とする請求項６〜１０いずれか記載のファン装置。
【請求項１２】
前記内周部と前記外周部との間に配設されるとともに、前記導風片にそれぞれ接続された固定リングをさらに備えることを特徴とする請求項６〜１１いずれか記載のファン装置。
【請求項１３】
前記外周部は、前記筐体と接続された少なくとも１つの挟持部材を有することを特徴とする請求項６〜１２いずれか記載のファン装置。
【考案の詳細な説明】
【技術分野】
【０００１】
本考案は、導風カバー及びそれを含むファン装置に関し、特に、コーン状サイクロンを生成する導風カバー及びそれを含むファン装置に関する。
【背景技術】
【０００２】
長年にわたり人々は電気扇風機により空気を流通させて気温を下げたり、またヒーターと組み合わせて使用することより気温を上げたりしており、電気扇風機は、取付けが容易で、様々な環境下で設置して使用することができるため、各家庭にとって必要不可欠な家電製品となっている。
【０００３】
市販されている電気扇風機には、据置きタイプ、サーキュレーター、壁掛け扇など多くの種類があるが、ファンから送り出される風の範囲を広げるために、扇風機の底部には、左右の首振り機能を有する機構が設けられているが、扇風機の高さにより風が送り出される範囲が制限されるため、導風カバーによりその範囲を広げることが一般的である。
【考案の概要】
【考案が解決しようとする課題】
【０００４】
従来の導風カバー構造（図１を参照）は、弧状の導風片Ｌを含む。導風片Ｌにより螺旋気流の風が発生し、風の強度を高めることができるが、送り出される範囲が小さくなる上、その集中渦流の強風により体が不快に感じるため、風を送り出す範囲が改良された構造が求められていた。
【課題を解決するための手段】
【０００５】
そのため、本考案の目的は、コーン状サイクロンを生成する導風カバー及びそれを含むファン装置を提供することにある。
【０００６】
上記課題を解決するために、本考案は、内周部、外周部及び複数の導風片を備えた導風カバーであって、
前記外周部は、前記内周部の外側に設けられ、前記内周部との間に受風面が形成され、
前記導風片は、前記外周部と前記内周部との間に渦巻状に配列されるとともに、前記受風面の垂直軸に対して傾斜角を有し、
前記傾斜角は、前記内周部に近い一端から前記外周部に近い一端に向かって漸増することを特徴とする導風カバーである。
【０００７】
さらに、本考案の導風カバーにおいて、前記導風片の前記内周部に近い一端の傾斜角は０度としてもよい。
【０００８】
さらに、本考案の導風カバーにおいて、前記導風片の前記外周部に近い一端の傾斜角は４５度としてもよい。
【０００９】
さらに、本考案の導風カバーにおいて、前記内周部と前記外周部との間に配設されるとともに前記導風片にそれぞれ接続された固定リングをさらに備えてもよい。
【００１０】
さらに、本考案の導風カバーにおいて、前記外周部には、少なくとも１つの外部と接続する挟持部材が設けてあってもよい。
【００１１】
また、本考案は、筐体、回転装置及び導風カバーを備えたファン装置であって、
前記筐体は、吸気部と、排気部と、前記吸気部と前記排気部との間に形成された案内空間と、を有し、
前記回転装置は、前記案内空間内に配設されて前記排気部に対応するとともに、前記筐体内に固定されるモーターと、前記モーターと接続されて前記モーターにより軸回転される羽根と、を有し、
前記導風カバーは、前記排気部に配設されるとともに、内周部と、前記内周部の外側に設けられた外周部と、前記外周部と前記内周部との間に渦巻状に配列された複数の導風片と、を有し、
前記外周部と前記内周部との間には、受風面が形成され、
前記導風片は、前記受風面の垂直軸に対して傾斜角を有し、
前記傾斜角は、前記内周部に近い一端から前記外周部に近い一端に向かって漸増することを特徴とするファン装置である。
【００１２】
さらに、本考案のファン装置は、前記案内空間内に配設され、通過する気流を加熱する加熱装置をさらに備える。
【００１３】
さらに、本考案のファン装置において、前記回転装置は、前記モーターの外周側に配設された断熱筒を有してもよい。
【００１４】
さらに、本考案のファン装置において、前記筐体は、前記モーターの後方に形成された吸気口を有してもよい。
【００１５】
さらに、本考案のファン装置において、前記導風片の前記内周部に近い一端の傾斜角は０度であってもよい。
【００１６】
さらに、本考案のファン装置において、前記導風片の前記外周部に近い一端の傾斜角は４５度であってもよい。
【００１７】
さらに、本考案のファン装置において、前記導風カバーは、前記内周部と前記外周部との間に配設されるとともに、前記導風片にそれぞれ接続された固定リングをさらに備えてもよい。
【００１８】
さらに、本考案のファン装置において、前記外周部は、前記筐体と接続された少なくとも１つの挟持部材を有してもよい。
【考案の効果】
【００１９】
本考案の導風カバー及びそれを含むファン装置は、従来技術と比べて以下（１）〜（３）の効果を有する。
（１）従来技術では渦巻式導風板により小さい範囲に集中された円筒状渦流を発生させるのと異なり、本考案のファン装置によりコーン状サイクロンを発生させるため風が吹き付けられる面積が大きくなり、室内の空気をスムーズに循環させることができる。
（２）加熱装置により熱風を発生させることができる。
（３）モーターが加熱装置により加熱されて損壊することを断熱筒により防ぐとともに、１つのファンをクーリングファン又はヒーティングファンとして用いることができる。
【図面の簡単な説明】
【００２０】
【図１】従来技術の導風カバーを示す正面図である。
【図２】本考案の一実施形態に係る導風カバーを示す正面図である。
【図３】本考案の一実施形態に係る導風カバーを示す斜視図である。
【図４】本考案の一実施形態に係る導風カバーの挟持部材が接合される状態を示す説明図である。
【図５】本考案の一実施形態に係る導風カバー及びそれを含むファン装置を示す斜視図である。
【図６】本考案の一実施形態に係る導風カバー及びそれを含むファン装置を示す側面断面図である。
【図７】本考案の一実施形態に係る導風カバー及びそれを含むファン装置を示す背面図である。
【図８】本考案の一実施形態に係る導風カバー及びそれを含むファン装置の気体の流れる方向を示すグラフである。
【考案を実施するための形態】
【００２１】
図２及び図３を参照する。図２は、本考案の一実施形態に係る導風カバーを示す正面図である。図３は、本考案の一実施形態に係る導風カバーを示す斜視図である。
【００２２】
図２及び図３に示すように、本考案の一実施形態に係る導風カバー及びそれを含むファン装置は導風カバー１００を含む。導風カバー１００は、内周部１１と、内周部１１の外側に設けられた外周部１２と、内周部１１と外周部１２との間に渦巻状に配列された複数の導風片１０と、内周部１１と外周部１２との間に配設されるとともに、導風片１０にそれぞれ接続された１又は複数の固定リング１４と、を含む。
【００２３】
図３及び図４に示すように、外周部１２の外周側には、外部と接続する挟持部材１５が１つ又は複数設けてある。挟持部材１５は、接続機構Ｋに対して導風カバー１００を容易に着脱できるために用いられるものであって、挟持部材１５の前端には、接続機構Ｋを固定溝へ案内して固定する傾斜面が形成されている。実際に使用する際、挟持部材１５は、導風カバー１００を時計回りで回転させると、上下固定の空隙内に配設された接続機構Ｋを挟持でき（図４では挟持されている状態を示す）、導風カバー１００を逆時計回りに回転させると、導風カバー１００を外すことができる。このように本考案の導風カバー１００を容易に着脱させることができる。
【００２４】
図６を参照する。図６に示すように、外周部１２と内周部１１との間には受風面１３が形成されている。導風片１０は、受風面１３の垂直軸（垂直軸は風が吹く方向に等しい）に対して傾斜角を有する。導風片１０の内周部１１に近い傾斜角は約０度である。導風片１０の外周部１２に近い一端の傾斜角は約４５度である。この傾斜角は、内周部１１に近い一端から、外周部１２に近い一端に向かって漸増されている。即ち、各導風片１０は図３に示すように３次元的にねじれた形状をなしている。
【００２５】
以下、本考案の導風カバー及びそれを含むファン装置の詳細な構造について説明する。図５〜図７を参照する。図５は、本考案の一実施形態に係る導風カバー及びそれを含むファン装置を示す斜視図である。図６は、本考案の一実施形態に係る導風カバー及びそれを含むファン装置を示す側面断面図である。図７は、本考案の一実施形態に係る導風カバー及びそれを含むファン装置を示す背面図である。
【００２６】
図５〜図７に示すように、本考案の一実施形態に係る導風カバー及びそれを含むファン装置２００は、筐体２０と、筐体２０内に配設した回転装置３０と、筐体２０の一端に配設した導風カバー１００と、筐体２０内に配設した加熱装置４０と、を含む。
【００２７】
上述した筐体２０は、吸気部２１と、排気部２２と、吸気部２１と排気部２２との間に形成された案内空間２３と、吸気口２４と、を含む。吸気口２４は、空気を筐体２０内へ案内し、回転装置３０の運転により発生する熱による損壊を防ぐために、回転装置３０の後方に形成される。
【００２８】
上述の加熱装置４０は、案内空間２３内に配設され、通過する気流を加熱して発生させた熱風が排気部２２を介して外部へ排出される。加熱装置４０は、例えば赤外線ヒーター（ｉｎｆｒａｒｅｄ  ｈｅａｔｅｒ）、遠赤外線セラミックヒーター（ｆａｒ  ｉｎｆｒａｒｅｄ  ｃｅｒａｍｉｃ  ｈｅａｔｉｎｇ  ｐｌａｔｅ）、ハロゲンヒーター（ｈａｌｏｇｅｎ  ｈｅａｔｅｒ）またはその他の電気エネルギーを熱エネルギーへ変換する装置であってもよく、本考案においてその種類は特に限定されない。
【００２９】
上述の回転装置３０は、案内空間２３内に、排気部２２に対応して配設される。回転装置３０は、筐体２０内に固定するモーター３１と、モーター３１に接続されてモーター３１により軸回転する羽根３２と、モーター３１の外周側に配設される断熱筒３３と、を含む。モーター３１は、例えば直流モーター（ＤＣ  ｍｏｔｏｒ）、交流モーター（ＡＣ  ｍｏｔｏｒ）、同期モーター（ｓｙｎｃｈｒｏｎｏｕｓ  ｍｏｔｏｒ）またはその他の電力により回転される装置であってもよく、本考案においてその種類は特に限定されない。断熱筒３３は、モーター３１が加熱装置４０の熱風を受けて損壊することを防ぐために用いる。断熱筒３３は、後部に吸気口２４が接続され、前部に開口が形成される。回転装置３０が運転されると、筐体２０外部の気体が吸気口２４を介して断熱筒３３内へ吸入され、モーター３１の冷却を行う。
【００３０】
上述した導風カバー１００は、排気部２２に配設される。導風カバー１００は、内周部１１と、内周部１１の外側に設けられた外周部１２と、内周部１１と外周部１２との間に渦巻状に配列された複数の導風片１０と、内周部１１と外周部１２との間に配設されて導風片１０にそれぞれ接続された複数の固定リング１４と、を含む。
【００３１】
外周部１２の外周側には、１つ又は複数の外部と接続する挟持部材１５が設けてある。挟持部材１５により排気部２２に導風カバー１００を容易に着脱させることができる。
【００３２】
外周部１２と内周部１１との間には受風面１３が形成される。導風片１０は、受風面１３の垂直軸に対して傾斜角を有する。導風片１０の内周部１１に近い一端の傾斜角は約０度である。導風片１０の外周部１２に近い一端の傾斜角は約４５度である。この傾斜角は、内周部１１に近い一端から外周部１２に近い一端に向かって漸増している。
【００３３】
図８を参照する。図８は、本考案の一実施形態に係る導風カバー及びそれを含むファン装置の気体の流れる方向を示すグラフである。
【００３４】
図８に示すように、本考案の一実施形態に係る導風カバー及びそれを含むファン装置は、モーター３１により羽根３２を軸回転させると、吸気部２１の気体が案内空間２３内に吸引され、排気部２２に配設した導風カバー１００へ羽根３２により気体が吹き付けられ、気体を外方へ拡散させてコーン状サイクロンが形成される。
【００３５】
本考案者が行った実験結果から分かるように、従来の導風カバー構造の導風片Ｌは内周から外周にかけて垂直であり、外側に向かって傾いていないため、吹き付ける渦巻気流が外周面積の大きさにより制限されていた。
【００３６】
しかし、本実施形態に係るコーン状サイクロンを発生する導風片１０は、受風面の垂直軸に対して傾斜角を有する。この傾斜角は、内周部に近くの一端から外周部に近くの一端に向かって漸増し、導風片１０の内周部１１に近い一端の傾斜角が約０度であるため、当該コーン状サイクロン中に従来のターボファンが生成した集中渦流が依然として保持される。また、導風片１０の傾斜角が漸増し、外周部に近い一端の傾斜角は約４５度であるため、生成のサイクロンの外部にコーン状サイクロンが形成され、４５度の角度で拡張されて外方へ延びる。コーン状サイクロンは１メートルのとこで、その外方へ拡張する範囲は１．９８メートルとなる。２メートルのところで、その外方へ拡張する範囲は３．６４メートルとなる。３メートルのところで、その外方へ拡張する範囲は５．３２メートルとなる。そして４メートルのところでは、その外方へ拡張する範囲は７メートルとなる。
【００３７】
上述したことから分かるように、本考案の導風カバー１００は、外方へ漸増する傾斜角を利用し、導風してコーン状サイクロンを形成して外方へ拡張し、風を吹き付ける面積が大幅に増大できる。さらに、本考案の導風カバー及びそれを含むファン装置に加熱装置を取り付け、加熱装置により熱風を発生させることもできるため、ファン装置２００をクーリングファン又はヒーティングファンとして夏でも冬でも使用することができるため応用範囲が広い。
【符号の説明】
【００３８】
１０  導風片
１１  内周部
１２  外周部
１３  受風面
１４  固定リング
１５  挟持部材
２０  筐体
２１  吸気部
２２  排気部
２３  案内空間
２４  吸気口
３０  回転装置
３１  モーター
３２  羽根
３３  断熱筒
４０  加熱装置
１００  導風カバー
２００  ファン装置
Ｋ  接続機構
Ｌ  導風片
【図１】
0003201586.tif 000003
【図２】
0003201586.tif 000004
【図３】
0003201586.tif 000005
【図４】
0003201586.tif 000006
【図５】
0003201586.tif 000007
【図６】
0003201586.tif 000008
【図７】
0003201586.tif 000009
【図８】
0003201586.tif 000010